(57)【要約】【課題】  リバウンドによる手指への針刺しを回避しつつ、かつ片手の操作により、ヒューバー針を皮下のＣＶポートから引き抜くことを可能にする。【解決手段】  開示される抜針器１０１は、ヒューバー針９１を持ち上げる可動部５を有する。台座部１には、可動部５により持ち上げられるヒューバー針９１をウィング９４とともに収容する収容部材７が立設されている。収容部材７には、可動部５を上方に案内する案内部材９が固定されている。可動部５は、収容部材７の内側にあって、ヒューバー針９１の先端側針体９２を挟んで、ウィング９４の付け根部分９５をすくい上げて支持する支持部材１１を有している。片方の手の掌又は親指で、台座部１に連結する押さえ部材１５を押さえつつ、同じ手の指で、支持部材１１に連結する指掛け部材１３を引き上げることにより、ヒューバー針９１が引き抜かれる。【選択図】  図１
2018110670.tif 000002
【特許請求の範囲】
【請求項１】
針体が基端側と先端側との間で「Ｌ」字状に屈曲し、基端側針体には幅を付与する付属部材が取り付けられており、先端側針体を皮膚の上から皮膚下のＣＶポートに刺すことにより使用されるヒューバー針を、前記皮膚から引き抜くヒューバー針用抜針器であって、
台座部と、当該台座部に立設された本体部と、前記ヒューバー針を持ち上げる可動部と、を備え、
前記本体部は、
前記可動部を上方に案内する案内部材と、
前記台座部を手の平又は手指で下方に押すための押さえ部材と、を有し、
前記可動部は、
前記先端側針体を挟んで、前記付属部材をすくい上げて支持する支持部材と、
前記押さえ部材より低い位置にあって、前記支持部材を、指を掛けて引き上げるための指掛け部材と、を有し、
前記台座部は、前記支持部材に迎えられる前記先端側針体との干渉を回避する空隙を有するとともに、前記ヒューバー針が持ち上げられるときに、前記ＣＶポートを前記皮膚の上から押さえる底面を有する、ヒューバー針用抜針器。
【請求項２】
前記本体部は、
前記可動部により持ち上げられるヒューバー針を収容する収容部材を、さらに有し、
前記支持部材は、前記収容部材の内側にあり、
前記収容部材は、前記ヒューバー針が進入することを可能にする隙間を下端部に有する、請求項２に記載のヒューバー針用抜針器。
【請求項３】
前記収容部材は、
前記隙間につながる縦方向のスリットであって、前記可動部により持ち上げられる前記ヒューバー針の前記基端部針体に連結される薬液供給管への干渉を回避する縦方向のスリットを、さらに有する、請求項２に記載のヒューバー針用抜針器。
【請求項４】
前記台座部のうち前記空隙が外方に開口する部分が、平面視において前記収容部材よりも外方にはみ出している、請求項２又は３に記載のヒューバー針用抜針器。
【請求項５】
前記収容部材は、少なくとも一部において、内部を視認することを可能にする透明な材料から成る、請求項２から４のいずれかに記載のヒューバー針用抜針器。
【請求項６】
前記収容部材は、水平方向に分割された一方部材と他方部材とを有し、
前記台座部、前記他方部材、前記案内部材及び前記押さえ部材は、一体的に連結しており、
前記一方部材は、前記他方部材の左右端の一方に、可撓性のシート状連結部を介して一体的に連結し、前記他方部材の前記左右端の他方に、第１の戻り止め機構により止められており、
前記可動部は、全体が一体的に連結しており、かつ前記一方部材と前記他方部材の間から、前記収容部材の上方に延びており、前記案内部材及び前記可動部が有する第２の戻り止め機構により、前記案内部材に案内可能に止められている、請求項２から５のいずれかに記載のヒューバー針用抜針器。
【請求項７】
前記案内部材と前記可動部とは、前記ヒューバー針が引き抜かれたときに、前記可動部が下降することを制止する第３の戻り止め機構を有する、請求項１から６のいずれかに記載のヒューバー針用抜針器。
【請求項８】
前記台座部の前記空隙は、前記先端側針体を、前記支持部材によって挟まれる位置に案内するように、台座部の外周端部から内側に向かって幅が狭くなっている、請求項１から７のいずれかに記載のヒューバー針用抜針器。
【請求項９】
前記台座部のうち前記空隙の上縁部は、前記先端側針体が前記支持部材へ迎えられるときに、深く刺された前記ヒューバー針の前記付属部材を押し上げることが可能なように、前記支持部材の上面と同じ高さとなるまで、前記支持部材に近いほど高くなるように傾斜した部分を含んでいる、請求項８に記載のヒューバー針用抜針器。
【請求項１０】
前記台座部の前記空隙は、前記先端側針体が前記支持部材へ迎えられるときに、逆戻りする前記先端側針体を引掛けることにより、当該先端側針体の逆戻りを妨げる、鋸歯状の張り出し部を含む、請求項１から９のいずれかに記載のヒューバー針用抜針器。
【請求項１１】
前記可動部は、前記支持部材の上方に設けられ、前記支持部材に支持されたヒューバー針が、引き抜かれるときに跳ね上がるのを防止する、跳ね上げ防止部材を、さらに有する、請求項１から１０のいずれかに記載のヒューバー針用抜針器。
【請求項１２】
前記可動部は、
前記支持部材により支持される前記付属部材を、前記支持部材に向かって押圧する押圧部材であって、前記付属部材が当該押圧部材と前記支持部材との間に進入することを妨げない形状である押圧部材をさらに有する、請求項１から１１のいずれかに記載のヒューバー針用抜針器。
【請求項１３】
前記案内部材と前記可動部とは、前記ヒューバー針が引き上げられる過程で、前記可動部が下降することを制止する第４の戻り止め機構を有する、請求項１から１２のいずれかに記載のヒューバー針用抜針器。
【請求項１４】
請求項６に記載のヒューバー針用抜針器を製造する方法であって、
前記収容部材の前記一方部材が、前記シート状連結部を軸に前記他方部材に対して開き、かつ前記他方部材の横に並ぶ形態で、前記台座部、前記収容部材、及び前記案内部材を、前記シート状連結部とともに一体的に成型する工程と、
前記可動部を一体的に成型する工程と、
成型された前記可動部を、成型された前記案内部材に前記第２の戻り止め機構により止める工程と、
前記可動部を前記案内部材に止めた後に、前記収容部材の前記一方部材を前記他方部材に向かって閉じ、かつ前記第１の戻り止め機構により前記他方部材に止める工程と、を含む、ヒューバー針用抜針器の製造方法。
【発明の詳細な説明】
【技術分野】
【０００１】
本発明は、抗がん剤等の薬剤の反復的投与あるいは点滴液の反復的な輸液などのために、患者の皮下に埋め込んで使用されるＣＶポートに、薬液を注入するヒューバー針を、ＣＶポートから引き抜くためのヒューバー針用抜針器（ばっしんき）、及びその製造方法に関する。
【背景技術】
【０００２】
ヒューバー針を抜き差しするＣＶポートのセプタム（天井隔壁）は、多数回の使用に耐えるように、環状の縁に硬質のシリコーンゴムが圧入されて構成される。代表的なヒューバー針においては、その針体は、「Ｌ」字状に屈曲しており、この屈曲部より根元側であり、使用時には患者の皮膚に沿って略水平となる部分（以下「基端部針体」と称する）には、指でつまんで抜き差しできるように、上下に回動ないし屈曲可能な羽根状の摘まみ部（「ウィング」と称される）が設けられている。針体のうち、屈曲部より先端側であり皮膚に刺して使用され、使用時には皮膚に対して略垂直となる部分（以下「先端側針体」と称する）には、薬液を射出する針穴が下端部に形成されている。セプタムを切削しないように、針穴は横向きであるとともに、先端側針体の下端部は針穴の方へ幾分か屈曲している。
【０００３】
ＣＶポートとヒューバー針は、このように構成されているので、ヒューバー針をＣＶポートから抜くときには、セプタムによる強い抵抗力が針に加わる。そのために、患者に薬液を投与する医師、看護士などは、患者の皮膚が吊り上がらないように一方の手の指により皮膚を押さえつつ、他方の手の指により相当の力を加えて、針を引き抜く必要がある。針が引き抜かれると、セプタムによる強い抵抗力から瞬時に解放されるため、針を持つ手が反射的に元に戻ろうとする（「リバウンド」と称される）。このときに、皮膚を押さえている手に、針が刺さる恐れがある。
【０００４】
この問題に対処し、ヒューバー針を楽に引き抜くことを意図した器具が、例えば特許文献１〜３に開示されている。特許文献１に開示される器具は、ヒューバー針と一体となった器具であり、ディスク状の保護部材が、ヒューバー針に摺動可能に取り付けられている。一方の手の指により保護部材を皮膚に押さえ付けつつ、他方の手の指でウィングを摘まむことにより、ヒューバー針を抜くことができ、引き抜かれたヒューバー針の針先は、保護部材の中に収容される。ヒューバー針の針先は、保護部材の中に一旦収容されると、戻り止め機構により、収容された状態に保持される。この従来器具は、それにより、引き抜かれるヒューバー針の針先が手指に触れることを防止しようとしている。
【０００５】
しかし、この従来器具は、操作に両手を要することから、患者が自身で操作することはできない、という問題点があった。ＣＶポートを皮下に埋め込まれた患者自身が、在宅においてヒューバー針を使って薬液を投与することも、将来に期待されている。さらに、ヒューバー針をＣＶポートのセプタムに刺すときに、ディスク状の保護部材により針先が視認しづらいため、正確な位置に針を刺すことが容易でない、という問題点も指摘されている。
【０００６】
特許文献２に開示される器具は、ヒューバー針の先端側針体を収納する筒状体が台座部に立設された構造をなしている。ＣＶポートに刺されているヒューバー針の先端側針体を、台座部に形成されたスリットを通して、筒状体の中に導き、その後に、器具を下方に押しつけながら、ヒューバー針を上方に引き上げることにより、ヒューバー針をＣＶポートから引き抜くことができる。ヒューバー針の先端側針体は、引き抜きの過程、及び引き抜き後においても、筒状体に収容されたまま保持される。この従来技術は、それにより、針先が手指に触れること防止しようとしている。
【０００７】
しかし、この従来器具においても、一方の手の指により、器具の筒状体あるいは台座部を下方に押すことにより、皮膚の吊り上がりを防ぎつつ、他方の手の指でウィングを摘まむことにより、ヒューバー針を抜くことを要する。すなわち、この従来器具においても、操作に両手を要することから、患者が自身で操作することはできない、という問題点があった。
【０００８】
特許文献３に開示される器具は、台座部に立設された柱状体に、ヒューバー針のウィングを挟持して持ち上げる可動部材が、案内されるように構成されている。この従来器具では、指により持ち上げるための張り出し部が可動部材に形成されている。このため、一方の手の親指により柱状体の頭部を下方に押すことにより、皮膚の吊り上がりを防ぎつつ、張り出し部に同じ手の２本の指を掛けることにより、可動部材を引き上げることができる。すなわち、一方の手の指によるヒューバー針の引き抜き操作が可能となっている。
【０００９】
しかし、この従来器具は、ヒューバー針に接近させ、ウィングを可動部材に挟持させる過程では、双方の手の操作を要する（段落００３２参照）。すなわち、この従来器具においても、操作に両手を要することから、患者が自身で操作することはできない、という問題点があった。
【先行技術文献】
【特許文献】
【００１０】
【特許文献１】特許第5795798号公報
【特許文献２】特開２００２−３４５９５９号公報
【特許文献３】特願２０１６−０３４９５２号公報（出願人自身がウェブサイトに公開）
【発明の概要】
【発明が解決しようとする課題】
【００１１】
本発明は上記の問題点に鑑みてなされたもので、リバウンドによる手指への針刺しを回避しつつ、かつ片手の操作により、ヒューバー針をＣＶポートから引き抜くことを可能にする、ヒューバー針用抜針器、及びその製造方法を提供することを目的とする。
【課題を解決するための手段】
【００１２】
上記課題を解決し上記目的を達成するために、本発明のうち第１の態様によるものは、針体が基端側と先端側との間で「Ｌ」字状に屈曲し、基端側針体には幅を付与する付属部材が取り付けられており、先端側針体を皮膚の上から皮膚下のＣＶポートに刺すことにより使用されるヒューバー針を、前記皮膚から引き抜くヒューバー針用抜針器であって、台座部と、当該台座部に立設された本体部と、前記ヒューバー針を持ち上げる可動部と、を備えている。前記本体部は、前記可動部を上方に案内する案内部材と、前記台座部を手の平又は手指で下方に押すための押さえ部材と、を有している。前記可動部は、前記先端側針体を挟んで、前記付属部材をすくい上げて支持する支持部材と、前記押さえ部材より低い位置にあって、前記支持部材を、指を掛けて引き上げるための指掛け部材と、を有している。さらに、前記台座部は、前記支持部材に迎えられる前記先端側針体との干渉を回避する空隙を有するとともに、前記ヒューバー針が持ち上げられるときに、前記ＣＶポートを前記皮膚の上から押さえる底面を有している。
【００１３】
この構成によれば、台座部を患者の皮膚の上に滑らせ、ヒューバー針の先端側針体が支持部材に挟まれるようにして、付属部材を支持部材によりすくい上げることができる。この操作は片方の手により行い得る。本体部の押さえ部材を、同じ手の掌（てのひら）又は親指で下方に押すことにより、台座部で皮膚の上からＣＶポートを押すことができ、それにより皮膚の吊り上がりを防ぎつつ、同じ手の指を可動部の指掛け部材に掛けることにより、支持部材を引き上げることができる。この操作により、ヒューバー針は持ち上げられ、皮膚から引き抜かれる。このように、ヒューバー針を引き抜く過程においても、片方の手による操作が可能である。また、他方の手指で、皮膚の上からＣＶポートを押さえる必要がないので、リバウンドによる手指への針刺しを回避できる。さらに、ヒューバー針は上方に引き上げられるので、ヒューバー針に無理な力を加えることなく、楽に引き抜くことができる。なお、「台座部に立設された本体部」には、案内部材、押さえ部材又はその他の、本体部を構成する何らかの部材が台座部に固定され、他は当該部材を介して台座部に固定されている形態も含まれる。
【００１４】
本発明のうち第２の態様によるものは、第１の態様によるヒューバー針用抜針器であって、前記本体部は、前記可動部により持ち上げられるヒューバー針を収容する収容部材を、さらに有している。前記支持部材は、前記収容部材の内側にある。さらに、前記収容部材は、前記ヒューバー針が進入することを可能にする隙間を下端部に有している。
【００１５】
この構成によれば、収容部材の下端部の隙間を、ヒューバー針が進入するように、台座部を患者の皮膚の上に滑らすことより、支持部材により、ヒューバー針の先端側針体を挟むようにして、付属部材をすくい上げることができる。支持部材を引き上げる操作により、ヒューバー針は、収容部材の中に収容された状態で持ち上げられ、皮膚から引き抜かれる。収容部材は、ヒューバー針を収容することにより、ヒューバー針の針先を手指等から保護する働きをする。引き抜かれた後には、抜針器とともにヒューバー針を廃棄することにより、針先が収容部材により保護された状態で、ヒューバー針を処分することができる。
【００１６】
本発明のうち第３の態様によるものは、第２の態様によるヒューバー針用抜針器であって、前記収容部材は、前記隙間につながる縦方向のスリットであって、前記可動部により持ち上げられる前記ヒューバー針の前記基端部針体に連結される薬液供給管への干渉を回避する縦方向のスリットを、さらに有している。
この構成は、可動部によりヒューバー針が持ち上げ上げられるときに、ヒューバー針とともに上昇する薬液供給管に、収容部材が干渉することを回避し、ヒューバー針が引き上げ前の姿勢を保ちつつ引き上げられることを容易にする。
【００１７】
本発明のうち第４の態様によるものは、第２又は第３の態様によるヒューバー針用抜針器であって、前記台座部のうち前記空隙が外方に開口する部分が、平面視において前記収容部材よりも外方にはみ出している。
この構成によれば、収容部材に妨げられることなく、ヒューバー針の先端側針体を視認しつつ、この先端側針体を台座部の空隙に容易に導くことができる。
【００１８】
本発明のうち第５の態様によるものは、第２から第４のいずれかの態様によるヒューバー針用抜針器であって、前記収容部材は、少なくとも一部において、内部を視認することを可能にする透明な材料から成っている。
この構成によれば、収容部材の透明材料を通して、内部のヒューバー針を視認することができる。なお、ここで「透明」とは、無色透明だけでなく、内部が視認可能な程度に色のついた有色透明をも含む主旨である。
【００１９】
本発明のうち第６の態様によるものは、第２から第５のいずれかの態様によるヒューバー針用抜針器であって、前記収容部材は、水平方向に分割された一方部材と他方部材とを有し、前記台座部、前記他方部材、前記案内部材及び前記押さえ部材は、一体的に連結しており、前記一方部材は、前記他方部材の左右端の一方に、可撓性のシート状連結部を介して一体的に連結し、前記他方部材の前記左右端の他方に、第１の戻り止め機構により止められている。さらに、前記可動部は、全体が一体的に連結しており、かつ前記一方部材と前記他方部材の間から、前記収容部材の上方に延びており、前記案内部材及び前記可動部が有する第２の戻り止め機構により、前記案内部材に案内可能に止められている。
【００２０】
この構成によれば、台座部、収容部材、案内部材及び押さえ部材を、シート状連結部とともに一体的に成型し、可動部材を一体的に成型し、その後に、可動部材を案内部材に第２の戻り止め機構により止め、その後に、収容部材の一方部材を他方部材に向かって閉じ、かつ第１の戻り止め機構により止める、という簡単な工程により製造することができる。
【００２１】
本発明のうち第７の態様によるものは、第１から第６のいずれかの態様によるヒューバー針用抜針器であって、前記案内部材と前記可動部とは、前記ヒューバー針が引き抜かれたときに、前記可動部が下降することを制止する第３の戻り止め機構を有している。
この構成によれば、ヒューバー針が引き抜かれた後に、可動部の動きを戻すように手指の力が加わることがあっても、ヒューバー針は引き抜かれた状態に保持される。
【００２２】
本発明のうち第８の態様によるものは、第１から第７のいずれかの態様によるヒューバー針用抜針器であって、前記台座部の前記空隙は、前記先端側針体を、前記支持部材によって挟まれる位置に案内するように、台座部の外周端部から内側に向かって幅が狭くなっている。
この構成によれば、台座部を患者の皮膚の上に滑らすことより、ヒューバー針の先端側針体を、支持部材によって挟まれる位置に、容易に導くことができる。
【００２３】
本発明のうち第９の態様によるものは、第８の態様によるヒューバー針用抜針器であって、前記台座部のうち前記空隙の上縁部は、前記先端側針体が前記支持部材へ迎えられるときに、深く刺された前記ヒューバー針の前記付属部材を押し上げることが可能なように、前記支持部材の上面と同じ高さとなるまで、前記支持部材に近いほど高くなるように傾斜した部分を含んでいる。
【００２４】
この構成によれば、台座部を患者の皮膚の上に滑らすことより、ヒューバー針の先端側針体を、支持部材によって挟まれる位置に導くときに、ヒューバー針がＣＶポートに深く刺さっている場合であっても、付属部材を、台座部の空隙の上縁部により押し上げることができるので、支持部材により付属部材をすくい上げることができる。
【００２５】
本発明のうち第１０の態様によるものは、第１から第９いずれかの態様によるヒューバー針用抜針器であって、前記台座部の前記空隙は、前記先端側針体が前記支持部材へ迎えられるときに、逆戻りする前記先端側針体を引掛けることにより、当該先端側針体の逆戻りを妨げる、鋸歯状の張り出し部を含んでいる。
【００２６】
この構成によれば、台座部を患者の皮膚の上に滑らすことより、ヒューバー針の先端側針体を、支持部材によって挟まれる位置に導くときに、ヒューバー針用抜針器を、意図しない逆方向に動かすことがあっても、先端側針体が、空隙の鋸歯状の張り出し部に引掛かり、逆方向の動きが妨げられる。
【００２７】
本発明のうち第１１の態様によるものは、第１から第１０のいずれかの態様によるヒューバー針用抜針器であって、前記可動部は、前記支持部材の上方に設けられ、前記支持部材に支持されたヒューバー針が、引き抜かれるときに跳ね上がるのを防止する、跳ね上げ防止部材を、さらに有している。
この構成によれば、支持部材に支持されたヒューバー針が、引き抜かれるときに跳ね上がるのを防止することができる。
【００２８】
本発明のうち第１２の態様によるものは、第１から第１１のいずれかの態様によるヒューバー針用抜針器であって、前記可動部は、前記支持部材により支持される前記付属部材を、前記支持部材に向かって押圧する押圧部材であって、前記付属部材が当該押圧部材と前記支持部材との間に進入することを妨げない形状である押圧部材を、さらに有している。
【００２９】
この構成によれば、ヒューバー針は、押圧部材と支持部材とに挟まれることにより、支持部材に安定して支持される。また、ヒューバー針は、引き抜かれた後においても、押圧部材と支持部材とに挟まれた状態に保たれるので、収容部材が無い場合であっても、支持部材に保持された状態で、ヒューバー針を、抜針器とともに廃棄することが可能となる。また、支持部材により付属部材をすくい上げるときに、付属部材は、押圧部材と支持部材との間に進入することを妨げられない。
【００３０】
本発明のうち第１３の態様によるものは、第１から第１２のいずれかの態様によるヒューバー針用抜針器であって、前記案内部材と前記可動部とは、前記ヒューバー針が引き上げられる過程で、前記可動部が下降することを制止する第４の戻り止め機構を有している。
【００３１】
この構成によれば、ヒューバー針が引き上げられる過程において、可動部の動きを戻すように手指の力が加わることがあっても、ヒューバー針が逆戻りすることを、防ぐことができる。
【００３２】
本発明のうち第１４の態様によるものは、第６の態様によるヒューバー針用抜針器を製造する方法であって、前記収容部材の前記一方部材が、前記シート状連結部を軸に前記他方部材に対して開き、かつ前記他方部材の横に並ぶ形態で、前記台座部、前記収容部材、及び前記案内部材を、前記シート状連結部とともに一体的に成型する工程と、前記可動部を一体的に成型する工程と、成型された前記可動部を、成型された前記案内部材に前記第２の戻り止め機構により止める工程と、前記可動部を前記案内部材に止めた後に、前記収容部材の前記一方部材を前記他方部材に向かって閉じ、かつ前記第１の戻り止め機構により前記他方部材に止める工程と、を含んでいる。
【００３３】
この構成によれば、本発明の一態様によるヒューバー針用抜針器を、容易に製造することができる。
【発明の効果】
【００３４】
以上のように本発明によれば、リバウンドによる手指への針刺しを回避しつつ、かつ片手の操作により、ヒューバー針をＣＶポートから引き抜くことを可能にする、ヒューバー針用抜針器、及びその製造方法が実現する。
【図面の簡単な説明】
【００３５】
【図１】本発明の一実施の形態によるヒューバー針用抜針器の構成を示す斜視図である。
【図２】図１の抜針器の台座部及び本体部の構造を示す斜視図である。
【図３】図１の抜針器の可動部の構造を示す斜視図であり、一部を切除することにより断面構造をも同時に示している。
【図４】図１の抜針器について、可動部が可動範囲の下端にあるときの構造を示す、Ａ−Ａ切断線に沿った側面断面図である。
【図５】図１の抜針器について、可動部が可動範囲の上端にあるときの構造を示す、Ａ−Ａ切断線に沿った側面断面図である。
【図６】図１の抜針器のＢ−Ｂ切断線に沿った平面断面図である。
【図７】図１の抜針器のＣ−Ｃ切断線に沿った平面断面図である。
【図８】本発明の別の実施の形態によるヒューバー針用抜針器の側面断面図である。
【図９】図８のヒューバー針用抜針器の可動部の斜視図である。
【図１０】本発明のさらに別の実施の形態によるヒューバー針用抜針器の台座部及び本体部の斜視図である。
【図１１】本発明のさらに別の実施の形態によるヒューバー針用抜針器の斜視図である。
【図１２】図１１のヒューバー針用抜針器の動作の概略説明図である。
【発明を実施するための形態】
【００３６】
図１〜図７は、本発明の一実施の形態によるヒューバー針用抜針器（以下、適宜「抜針器」と略記する）の構成を示す図である。以下において、この抜針器１０１の構成、使用方法、及び製造方法について、図１〜図７を参照しつつ説明する。これらの図についての簡単な説明は、上記の通りであるので繰り返さない。
【００３７】
図１の抜針器１０１の斜視図には、抜針器１０１により引き抜こうとするヒューバー針９１も、同時に表されている。患者の皮膚９０の下には、ＣＶポート９９が埋め込まれており、ヒューバー針９１の先端側針体９２が、皮膚９０を通してＣＶポート９９に刺されている。ヒューバー針９１の基端側針体９３には、ウィング９４が取り付けられており、基端側針体９３の基端には、薬液を供給する薬液供給管９７が連結されている。ウィング９４は、その付け根部分９５を、基端側針体９３が貫通することにより、基端側針体９３に固着されている。ウィング９４は、付け根部分９５の周りに回動又は屈曲可能であり、水平に展開することも、手指で摘まんで上方に閉じることも可能である。ウィング９４は、手指で摘まむことにより、ヒューバー針９１をＣＶポート９９に刺したり、ＣＶポート９９から引き抜いたりするための、摘まみとして機能するものである。
【００３８】
抜針器１０１は、皮膚９０の上に滑らせて、先端側針体９２の側から（すなわち、接近方向９８に向かって）ヒューバー針９１に接近させ、ウィング９４の付け根部分９５を持ち上げることにより、ヒューバー針９１を皮膚９０から引き抜くように構成されている。しかも、抜針器１０１は、ヒューバー針９１への接近から、ヒューバー針９１の引き抜き完了までの操作を、片手で行い得るように構成される。抜針器１０１は、さらに、引き抜かれるヒューバー針９１の針先が保護されるように構成される。この目的のために、抜針器１０１は、台座部１、本体部３、及び可動部５を有している。そして、本体部３は、台座部１の上に固定された収容部材７、収容部材７に固定され、可動部５を上下方向に案内する案内部材９、及び台座部１を下方へ押しつけるための押さえ部材１５を有している。押さえ部材１５は、一例として案内部材９の頂部に固定されている。可動部５は、ヒューバー針９１のウィング９４の付け根部分９５を、すくい上げて支持する支持部材１１、及び支持部材１１を引き上げるための指掛け部材１３を有している。ヒューバー針９１は、ウィング９４を含めて収容部材７に収容された状態で、支持部材１１により持ち上げられ、皮膚９０から引き抜かれる。収容部材７は、引き抜かれるヒューバー針９１の針先を、手指等の接触から保護する働きをする。
【００３９】
なお、本発明において、「上」、「下」という方向は、図１に例示するように、ヒューバー針９１が刺さっている患者の皮膚９０の上に、ヒューバー針用抜針器（図示の例では抜針器１０１）を置いて使用するときの姿勢を基準にしている。さらに、ヒューバー針９１を引き抜くために、抜針器１０１をヒューバー針９１に接近させる方向である接近方向９８を、抜針器１０１の「前方」と称する。
【００４０】
台座部１は、本体部３を支える部材であるとともに、抜針器１０１を使用してヒューバー針９１を引き抜くときに、皮膚９０の上に置かれ、皮膚９０の上からＣＶポート９９を押さえることにより、皮膚９０の吊り上がりを防ぐ役割をも果たす。図２の台座部１及び本体部３の斜視図にも示すように、台座部１には、前方に幅広く開き、後方へ向かって幅が狭くなる空隙１７が形成されている。この空隙１７は、抜針器１０１をヒューバー針９１に接近させるときに、ヒューバー針９１の先端側針体９２を案内する役割を果たす。空隙１７の奥側は、スリット状に細くなっている。
【００４１】
支持部材１１は、可動範囲のうち下端の位置である、待ち受け位置あるいは初期位置にあるときには、台座部１の上に載る。台座部１の上面には溝１８が形成されており、この溝１８内に、待ち受け位置にある支持部材１１が置かれる。台座部１の上面の延長上に支持部材１１の上面が位置するように、両者の上面は面一（つらいち）となっている。
【００４２】
支持部材１１の構造は、図３の可動部５の斜視図に、特に明瞭に示されている。支持部材１１は、前端から後方へ向かって延びるスリット１９が形成されたフォーク状である。スリット１９は、台座部１の空隙１７の奥側のスリットの上方に重なるように形成されている。スリット１９の幅は、ヒューバー針９１の先端側針体９２の直径よりも僅かに大きく、ウィング９４の付け根部分９５の幅よりも十分に小さく設定されるのが望ましい。抜針器１０１をヒューバー針９１に接近するように、接近方向９８に沿って移動させることにより、ヒューバー針９１の先端側針体９２は、スリット１９の奥に収まる。このとき、図４の抜針器１０１の側面断面図に明瞭に表されるように、フォーク状の支持部材１１は、ウィング９４の付け根部分９５と皮膚９０との間に差し込まれた状態となる。これにより、ヒューバー針９１は、持ち上げ準備完了状態となる。図５の抜針器１０１の側面断面図に示すように、指掛け部材１３が引き上げられると、支持部材１１は、ヒューバー針９１の先端側針体９２を挟んだ状態で、ウィング９４の付け根部分９５を持ち上げる。ヒューバー針９１が持ち上げられるときのヒューバー針９１と支持部材１１との位置関係は、図６の抜針器１０１の平面断面図に明瞭に表されている。図６には、ヒューバー針９１が、ウィング９４を含めて収容部材７に収容された状態で持ち上げられる様子も、明瞭に表されている。
【００４３】
図１〜図５に示すように、支持部材１１の前部の上面は、前方に向かって下降するように傾斜している。支持部材１１の当該傾斜面は、その前方に位置する台座部１の前端部の上面に、そのまま続いている。言い換えると、台座部１の前端部の上面は、後方へ至るほど高くなるように傾斜しており、その傾斜面は、その後方に位置する支持部材１１の前部の上面に、そのまま続いている。図示の例では、台座部１の前端部全体の上面が傾斜しているが、台座部１の前端部のうち、空隙１７の上縁部のみが同様に傾斜していてもよい。さらには、台座部１の前端部のうち、前端からある程度後方へ後退した領域にのみ、傾斜面が形成されていてもよい。このように、台座部１及び支持部材１１に傾斜面が形成されているので、ヒューバー針９１がＣＶポート９９に深く刺さっている場合であっても、抜針器１０１をヒューバー針９１に接近させることにより、ウィング９４の付け根部分９５を傾斜面により押し上げることができる。それにより、支持部材１１を、ウィング９４の付け根部分９５と皮膚９０との間に、容易に差し込むことが可能となる。
【００４４】
図１及び図２に明瞭に示すように、台座部１には収容部材７が立設されている。収容部材７は、容器状であり前半部２１及び後半部２３に分割されている。図１では、収容部材７の内部構造が見えるように、前半部２１は透明部材であるかのように表しており、図２においても同様に表現している。収容部材７は、直接には後半部２３により台座部１に固定されている。案内部材９は、直接には収容部材７の後半部２３に固定されている。収容部材７の前半部２１は、下端部に隙間２５を有するように形成されている。図示の例では、隙間２５は、収容部材７と台座部１との間に形成されている。この隙間２５は、ヒューバー針９１のウィング９４が、水平に展開された形態で通過できる大きさに設定されている。収容部材７の上端は、収容されたヒューバー針９１が上端から外部へ飛び出さないように、大半部が閉塞している。
【００４５】
収容部材７の前半部２１には、さらに、前部中央において、下端に開口し、上端付近まで縦方向に延びるスリット２７が形成されている。スリット２７の横幅は、ヒューバー針９１の薬液供給管９７の直径よりも僅かに大きく設定されるのが望ましい。スリット２７は、ヒューバー針９１が収容部材７に収容された状態で持ち上げられるときに、薬液供給管９７が収容部材７と干渉することを回避するために設けられる。ヒューバー針９１とともに上昇する薬液供給管９７が、スリット２７の中に容易に導かれるように、スリット２７は、下端の開口部において幅が広く、上方へ向かうほど狭くなるように形成されている。収容部材７は、一例として、隙間２５及びスリット２７を含めて、手指が内部に奥深くまで容易には侵入できないように形成される。
【００４６】
図２、及び図６の抜針器１０１の平面断面図に表されるように、収容部材７の前半部２１は、その右端において、可撓性のシート状連結部２９により後半部２３の右端に連結されている。それにより、前半部２１は、シート状連結部２９を軸として、後半部２３に対して開閉可能となっている。前半部２１の左端からは、係止用腕部３１が後方に延びている。係止用腕部３１の先端には、鈎状の突起３３が形成されている。前半部２１を後半部２３に対して閉めると、突起３３が後半部２３の壁体に形成された係止用孔３５に係止されることにより、前半部２１は閉じられたままに保持される。すなわち、係止用腕部３１と係止用孔３５は、戻り止め機構の一種であるラチェットを構成する。抜針器１０１は、前半部２１を閉じて出荷される。
【００４７】
図３に明瞭に示すように、可動部５は、支持部材１１の他に、柱状部材３７、指掛け部材１３、及び跳ね上げ防止部材４１を有している。柱状部材３７は、長手方向に沿った大半部において、断面略「コ」字状（略「Ｕ」字状）の柱状体であり、一部において、前側壁５６が開口している。図３は、柱状部材３７の断面形状が、略「コ」字状であることを明瞭に示すために、柱状部材３７の一部を切り欠いて、その断面形状を示している。なお、略「コ」字状の柱状部材３７の断面形状は、図６にも表されている。柱状部材３７は、案内部材９に摺動可能に案内される部材である。柱状部材３７の下端は、支持部材１１に連結している。指掛け部材１３は、指を掛けて可動部５を引き上げるための部材であり、柱状部材３７の頭部に連結し、左右に張り出している。跳ね上げ防止部材４１は、支持部材１１によって持ち上げられるヒューバー針９１が、ＣＶポート９９から引き抜かれる瞬間に、上方に跳ね上がるのを防止する部材である。跳ね上げ防止部材４１は、支持部材１１の上方の位置において、柱状部材３７に連結されており、一例として、水平な板状である。図示の例では、柱状部材３７は、板状の部材を補強する三角板状の２枚の補強材をも有している。
【００４８】
大半部において断面略「コ」字状の柱状部材３７は、図２に示す案内部材９を構成する柱状案内部材４７の前側壁５５及び左右側壁に対して摺動可能となるように、柱状案内部材４７に取り付けられる。図３に示すように、柱状部材３７の上端付近には、後方に突出した一対の突出部４３が設けられている。図７の抜針器１０１の平面断面図に示すように、一対の突出部４３の先端部の内側には、鈎状の突起４５が形成されている。柱状部材３７が、柱状案内部材４７に取り付けられると、突起４５は柱状案内部材４７の背面に係止される。それにより、柱状部材３７は、案内部材９から離脱しないように拘束される。すなわち、突出部４３及び柱状案内部材４７は、戻り止め機構の一種であるラチェットを構成する。
【００４９】
図２に明瞭に示すように、案内部材９の前方は、収容部材７の後半部２３によって覆われることがなく、前半部２１が無ければ開かれている。このため、抜針器１０１の製造工程において、前半部２１が開かれた状態で、可動部５を案内部材９に取り付けることができ、その後に、前半部２１を閉じることにより、抜針器１０１を完成させることができる。
【００５０】
図２に表されるように、案内部材９は、収容部材７の後半部２３の内側から、天井を突き抜けて上方にまで延びる柱状案内部材４７に加えて、後半部２３の内面から前方に突出する２枚の板状案内部材４９を有している。柱状案内部材４７は、可動部５の柱状部材３７と同様に、縦方向に沿った大半部において、断面略「コ」字状をなしている。その断面形状は、図７に明瞭に示されている。可動部５の柱状部材３７の突出部４３は、柱状案内部材４７のうち、断面が略「コ」字状の部分に係合している。板状案内部材４９も柱状案内部材４７と同様に、可動部５の柱状部材３７を案内する役割を果たす。
【００５１】
図１に示すように、案内部材９には、さらに、手の平又は手指で押さえるための平坦な押さえ部材１５が、頂部に固定されている。可動部５の指掛け部材１３に指を掛けて支持部材１１を引き上ることにより、ヒューバー針９１を持ち上げるときに、同じ手の親指又は手の平で押さえ部材１５を押さえることにより、台座部１で皮膚９０の上からＣＶポート９９を押すことができる。それにより、ヒューバー針９１が持ち上げられるときに、皮膚９０が吊り上がることを回避することができる。
【００５２】
図２及び図４に明瞭に表されるように、案内部材９の頂部にある押さえ部材１５には、その下面から下方に突出する突出部５３が連結している。突出部５３は、柱状案内部材４７の前側壁５５と並ぶように形成されている。突出部５３の先端部の前面には、断面鈎状に突起する横長状の突起５７が形成されている。一方、図４及び図５に明瞭に示されるように、可動部５の柱状部材３７には、その頂部の付近において、前側壁５６の背面から断面鈎状に突起する横長状の突起６５が形成されており、その直下には、背面が前方に段差をもって後退した後退部５９が続いている。可動部５が上方に引き上げられるときに、柱状部材３７の頂部の直下に隣接する前側壁５６は、突出部５３を後方に押し曲げるようにして、突起５７を後方に逃がす。図５に示すように、可動部５が十分に高く引き上げられると、突起５７は、突起６５により更に後方へ逃がされた後に、前方へ戻って後退部５９に係合する。これにより、可動部５は、もはや下方へ戻ることはできなくなる。すなわち、突出部５３、突起６５及び後退部５９は、戻り止め機構の一種であるラチェットを構成する。
【００５３】
図２及び図４に明瞭に表されるように、柱状案内部材４７の前側壁５５には、前面から断面円弧状に丸みをもって突起する横長状の突起６１、及び断面鈎状に突起する横長状の突起６３が形成されている。図４から理解されるように、支持部材１１が待ち受け状態にあるとき、すなわち可動部５が最も低い初期位置にあるときには、可動部５の突起６５は突起６１の直下に隣接する位置にある。それにより、使用者が抜針器１０１の使用を開始する前、例えば商品搬送の過程などにおいて、可動部５が初期位置から移動することを防止することができる。指掛け部材１３を手指により引き上げることにより、突起６５は突起６１を乗り越え、可動部５を上昇させることが可能である。突起６５が突起６１を乗り越えるときには、手指にクリック感が伝わる。使用者は、それにより、ヒューバー針９１の引き上げが始まったことを、触覚により確認することができる。
【００５４】
多数列の突起６３は、突起６１と突起５７との間に配置される。これにより、可動部５を上昇させる中途において、可動部５を押し下げるように手指の力が加わった場合でも、可動部５が逆戻りして下降することを防止することができる。すなわち、突起６３と突起６５は、戻り止め機構の一種であるラチェットを構成する。また、可動部５の上昇の過程で、手指にクリック感が伝わるので、使用者は、ヒューバー針９１の引き上げが進行していることを、触覚により確認することができる。
【００５５】
図６及び図７に明瞭に示すように、空隙１７が開口する台座部１の前端部は、平面視において、収容部材７よりも前方にはみ出すように形成される。これにより、使用者は、収容部材７に妨げられることなく、ヒューバー針９１の先端側針体９２を視認しつつ、先端側針体９２を空隙１７に容易に迎え入れることができる。また、図６に表されるように、台座部１の空隙１７には、鋸歯状の張り出し部６７が形成されている。この張り出し部６７は、抜針器１０１を皮膚９０の上で移動させることにより、ヒューバー針９１の先端側針体９２を支持部材１１に導く過程で、抜針器１０１の移動を逆戻りさせることがあっても、逆戻りする先端側針体９２を引掛けることにより、それ以上の逆戻りを防ぐ役割を果たす。
【００５６】
（使用方法）
次に、抜針器１０１の使用方法について説明する。皮膚９０を通してＣＶポート９９に刺さっているヒューバー針９１を、抜針器１０１を用いて引き抜くには、まず、片方の手により本体部３、例えば収容部材７を把持し、図１に示すように、台座部１の前端部に開口する空隙１７の開口部を、ヒューバー針９１の先端側針体９２の側から接近させる。それにより、ヒューバー針９１は、展開されたウィング９４を含めて、収容部材７の下端部の隙間２５を通過して、収容部材７の中に収容される。それと同時に、ヒューバー針９１の先端側針体９２が、初期位置にある支持部材１１のスリット１９に、導き入れられる。このとき、図４に示すように、フォーク状の支持部材１１は、ヒューバー針９１のウィング９４の付け根部分９５と皮膚９０との間に差し込まれる。以上の操作は、片方の手により行うことが可能できる。
【００５７】
次に、可動部５の指掛け部材１３に同じ手の指を掛け、同じ手の親指又は掌で、案内部材９の頂部にある押さえ部材１５を押さえることにより、台座部１で皮膚９０の上からＣＶポート９９を押さえつつ、ヒューバー針９１のウィング９４の付け根部分９５を載せた支持部材１１を、引き上げることができる。それにより、皮膚９０の吊り上がりを防ぎつつ、ヒューバー針９１を持ち上げることができる。図６に示すように、ヒューバー針９１は、ウィング９４を含めて収容部材７の中に収容された状態で、引き上げられる。ヒューバー針９１の薬液供給管９７は、収容部材７に形成されたスリット２７により、収容部材７との干渉が回避される。このため、ヒューバー針９１は、図６に示す姿勢を保ちつつ、持ち上げられ、皮膚９０から引き抜かれる。
【００５８】
図５に示すように、可動部５の柱状部材３７の頂部が、案内部材９の頂部にある押さえ部材１５に当接するまで、可動部５を引き上げると、柱状案内部材４７の突起５７が、可動部５の柱状部材３７の後退部５９に係合することにより、可動部５の逆戻りが制止される。引き上げられたヒューバー針９１の針先は、収容部材７により保護される。この状態で、ヒューバー針９１は抜針器１０１とともに廃棄される。以上の説明から明らかなように、ヒューバー針９１への接近から、引き抜きの完了まで、片方の手による操作が可能である。
【００５９】
図１に示すように、収容部材７は上端がおおよそ閉塞しているので、抜針器１０１の姿勢を変えても、引き上げられたヒューバー針９１は、上端から外部へ逃げることなく、収容部材７に収容された状態で、廃棄することが可能である。特に、ヒューバー針９１の引き抜き後には、支持部材１１は収容部材７の上端近くにあるので、ヒューバー針９１は、支持部材１１と収容部材７の天井部との間の狭い空間に押し込められた状態となり、支持部材１１から転げ落ちることもない。収容部材７の上端が閉塞していなくても、ヒューバー針９１の飛び出しを妨げる、何らかの部材（例えば、上端に掛け渡された梁、上端を覆う格子など）が収容部材７の上端に設けられておれば、同様の効果が得られる。収容部材７の上端が開放されている場合であっても、抜針器１０１を通常の姿勢に保ったままで廃棄することにより、ヒューバー針９１を収容部材７に収容された状態で、廃棄することが可能である。
【００６０】
（製造方法）
次に、抜針器１０１の製造工程について説明する。抜針器１０１を容易に製造するには、まず、図２に示すように、収容部材７の前半部２１が、後半部２３に対して開き、しかも後半部２３の横に並ぶ形態で、台座部１、収容部材７、及び案内部材９を、金型を用いた樹脂成形法により、一体的に成型する。収容部材７の前半部２１と後半部２３は、シート状連結部２９により連結されており、このシート状連結部２９も、同時に成型される。この成型は、一対のみの金型により行い得る。また、前半部２１の成型は、好ましくは透明な樹脂により行われる。この成型と並行して、あるいは前後して、図２に示す可動部５を、金型を用いた樹脂成形法により、一体的に成型する。この成型も、一対のみの金型により行い得る。
【００６１】
次に、収容部材７の前半部２１を開いた状態で、案内部材９に可動部５を取り付ける。ラチェットを構成する柱状案内部材４７及び突出部４３の働きにより、可動部５は、案内部材９に正面から押しつけるだけで、案内部材９に簡単に止めることができる。可動部５は、初期位置に設定する。可動部５を案内部材９に取り付けた後に、収容部材７の前半部２１を、後半部２３に対して閉じる。前半部２１は、閉じる方向に回動させ、後半部２３に向かって押すだけで、ラチェットを構成する係止用腕部３１及び係止用孔３５の機能により、簡単に閉まり、その後は閉じた状態が維持される。これにより、抜針器１０１は使用可能となる。
【００６２】
（その他の実施の形態）
（１）  図８は、本発明の別の実施の形態によるヒューバー針用抜針器の側面断面図である。また、図９は、図８のヒューバー針用抜針器の可動部の斜視図である。この抜針器１０２の可動部８５は、抜針器１０１の可動部５に押圧部材６９が設けられている。押圧部材６９は、ヒューバー針９１を支持部材１１に向かって押圧する部材である。図示の例では、押圧部材６９は、弾性復元力により支持部材１１を押圧する板バネである。押圧部材６９は、抜針器１０２をヒューバー針９１に接近させることにより、支持部材１１を、ウィング９４の付け根部分９５と皮膚９０との間に差し込むことを妨げないように、付け根部分９５を迎え入れる形状に形成される。板バネの材料は、例えば、金属、プラスチック、ゴムなどである。
【００６３】
押圧部材６９は、板バネに代えて、ウィング９４の付け根部分９５が押圧部材６９と支持部材１１との間に進入することを妨げない形状の、他の弾性部材を用いることも可能である。また、押圧部材６９は、それ自身が弾性部材ではない形態も採り得る。例えば、押圧部材６９は、可動部８５の柱状部材３７に前端部が回動自在に支持され、例えばつるまきばねにより支持部材１１に押圧される板状体（例えば図示の押圧部材６９の形状をなす）であってもよい。
【００６４】
ヒューバー針９１は、押圧部材６９と支持部材１１とに挟まれ、押圧されることにより、支持部材１１に安定して支持される。また、図示の例では、押圧部材６９は跳ね上げ防止部材４１を介して柱状部材３７に取り付けられている。従って、ヒューバー針９１が、ＣＶポート９９から引き抜かれる瞬間に跳ね上がるのを、押圧部材６９によっても押さえることができるとともに、柱状部材３７によって、跳ね上がりの度合いが、ある限度以内に抑えられる。
【００６５】
（２）  図１０は、本発明のさらに別の実施の形態によるヒューバー針用抜針器の台座部及び本体部の斜視図である。この抜針器１０３の本体部８３には、収容部材７が無く、案内部材８９が直接に台座部８１に立設されている。また、台座部８１は、抜針器１０１（図１参照）の台座部１に比べて左右の幅が狭く設定されている。案内部材８９には、一例として、図９に示した可動部８５が取り付けられる。このように、収容部材７を用いない抜針器１０３を構成することも可能である。引き上げられるヒューバー針９１は、押圧部材６９により支持部材１１に安定して支持される。また、引き抜かれたヒューバー針９１は、押圧部材６９により支持部材１１に保持された状態で、抜針器１０３とともに廃棄することが可能である。台座部８１の幅が狭く、収容部材７も無いので、抜針器１０３の容積はコンパクトであり、特に廃棄する際にかさばらず、便宜である。なお、案内部材８９は、他の何らかの部材を介して、間接的に台座部８１に固定されていても良い。
【００６６】
（３）  図１１は、本発明のさらに別の実施の形態によるヒューバー針用抜針器の斜視図である。この抜針器１０４では、抜針器１０３（図９及び図１０参照）に、さらに収容部材８７が設けられている。収容部材８７は、一例として、上端及び下端が開放された断面略矩形の筒状体であり、背面壁が案内部材８９に、例えば接着あるいはラチェット機構（図視略）により取り付けられている。収容部材８７の前面壁には、抜針器１０１の収容部材７と同様に、スリット２７が形成されている。また、収容部材８７の下端部には、ヒューバー針９１が進入できるように、隙間２５が形成されている。
【００６７】
図１２は、抜針器１０４の動作の概略説明図である。図１２（ａ）は、ヒューバー針９１が隙間２５を進入し、待ち受け位置にある支持部材１１と押圧部材６９との間に、ウィング９４の付け根部分９５が挟まれている状態を示している。水平に展開されたウィング９４は、幅の狭い収容部材８７の左右外方にはみ出している。図１２（ｂ）は、その後に可動部８５が引き上げられた状態を示している。図１２では、ヒューバー針９１のウィング９４は、屈曲可能な柔軟な材料で構成されている場合を想定している。ウィング９４は、支持部材１１が引き上げられるのに伴い、下方に屈曲することにより、収容部材８７の中に収容され、そのまま上昇する。ウィング９４の幅よりも収容部材８７の幅が狭くても、ヒューバー針９１は図示のように安定して引き上げられる。収容部材８７は、収容部材７（図１、図６参照）と同様に、引き上げられるヒューバー針９１の針先を保護する機能を果たす。ヒューバー針９１の引き抜きが完了すると、ヒューバー針９１は、針先が保護された状態で、抜針器１０４とともに廃棄することができる。
【００６８】
ウィング９４が上方と水平方向だけでなく、下方にも回動可能に構成されているヒューバー針９１についても、抜針器１０４により、引き上げが可能である。支持部材１１の左右の幅は、左右のウィング９４の回動軸同士の間隔に応じて、適宜選択することができる。また、押圧部材６９が設けられない抜針器１０１において、ウィング９４の幅よりも、左右の幅の狭い収容部材８７を用いた場合であっても、ヒューバー針９１の姿勢を安定させつつ、ヒューバー針９１を引き上げることが可能である。
【００６９】
更には、ウィング９４に代えて、何らかの付属部材が基端側針体９３に取り付けられたヒューバー針９１についても、抜針器１０１、１０２、１０３及び１０４により、引き上げが可能である。付属部材は、ウィング９４の付け根部分９５のように、基端側針体９３に幅を持たせるものであれば足りる。この場合、収容部材７、８７を有する抜針器１０１、１０２、１０４では、収容部材７、８７は、図１１及び図１２に例示した収容部材８７よりも、さらに左右の幅を縮小することができる。それにより、抜針器１０１、１０２、１０４を、さらにコンパクトにすることができる。
【００７０】
更には、抜針器１０１から収容部材７を除いた形態、あるいは抜針器１０３から押圧部材６９を除いた形態（すなわち、図１０の案内部材８９に図３の可動部５を取り付けた形態）を実施することも可能である。引き抜き後にヒューバー針９１を、抜針器１０１，１０３に保持された状態で、抜針器１０１，１０３とともに廃棄することを要しなければ、このような形態も有効である。また、抜針器１０１，１０３を、より簡素に構成することができる。
【００７１】
（４）  抜針器１０１、１０２では、収容部材７の後半部２３が台座部１に固定され、案内部材９は後半部２３に固定されている。これに対して、案内部材９を台座部１に固定されるように構成し、同時に、収容部材７（例えば後半部２３）を案内部材９に固定されるように構成することも可能である。あるいは、案内部材９と収容部材７（例えば後半部２３）との双方を、別個に台座部１に固定されるように構成することも可能である。また、抜針器１０１、１０２では、押さえ部材１５は、案内部材９の頂部に固定されていているが、案内部材９に代えて、収容部材７あるいは台座部１に固定することも可能である。押さえ部材１５と案内部材９の指掛け部材１３との位置関係は、片手で両者を挟むようにして操作することを可能にするために、押さえ部材１５が指掛け部材１３よりも高い位置に設けられておれば足りる。
【００７２】
（５）  抜針器１０１、１０２の収容部材７、及び抜針器１０４の収容部材８７を、透明な材料により構成してもよい。それにより、使用者は収容部材７、８７の内部にあるヒューバー針９１を視認しつつ、抜針器１０１、１０２、１０４を操作することが容易となる。また、収容部材７、８７のうち、内部に収容されるヒューバー針９１が視認できる範囲で、一部のみを透明にすることも可能である。例えば、収容部材７の前半部２１のみを、透明な材料により構成してもよい。透明は、内部が視認できる程度に色の付いた有色透明であってもよい。
【００７３】
（６）  抜針器１０１について、台座部１、収容部材７、案内部材９、押さえ部材１５を、樹脂の一体成型により製造する方法を説明した。これに対して、それらを２つ以上の部材として成型し、その後に組み立てることも当然に可能である。例えば、収容部材７の前半部２１のみを、透明な材料により構成する場合には、前半部２１を他の部材とは別体として成型することも可能である。前半部２１を後半部２３に取り付けるには、例えば、係止用腕部３１を、前半部２１の左右両端部に形成し、かつ、係止用孔３５を後半部の左右両壁体に形成し、係止用腕部３１を係止用孔３５に係止させることが可能である。
【符号の説明】
【００７４】
１  台座部、  ３  本体部、５  可動部、  ７  収容部材、  ９  案内部材、  １１  支持部材、  １３  指掛け部材、  １５  押さえ部材、  １７  空隙、  １８  溝、  １９  スリット、  ２１  前半部、  ２３  後半部、  ２５  隙間（すきま）、  ２７  スリット、  ２９  シート状連結部、  ３１  係止用腕部、  ３３  突起、  ３５  係止用孔、  ３７  柱状部材、  ４１  跳ね上げ防止部材、  ４３  突出部、  ４５  突起、  ４７  柱状案内部材、  ４９  板状案内部材、  ５３  突出部、  ５５，５６  前側壁（まえそくへき）、  ５７  突起、  ５９  後退部、  ６１，６３，６５  突起、  ６７  張り出し部、  ６９  押圧部材、  ８１  台座部、  ８３  本体部、  ８５  可動部、  ８７  収容部材、  ８９  案内部材、  ９０  皮膚、  ９１  ヒューバー針、  ９２  先端側針体、  ９３  基端側針体、  ９４  ウィング、  ９５  付け根部分（付属部材）、  ９７  薬液供給管、  ９８  接近方向、  ９９  ＣＶポート、  １０１，１０２  ヒューバー針用抜針器。
【図１】
2018110670.tif 000003
【図２】
2018110670.tif 000004
【図３】
2018110670.tif 000005
【図４】
2018110670.tif 000006
【図５】
2018110670.tif 000007
【図６】
2018110670.tif 000008
【図７】
2018110670.tif 000009
【図８】
2018110670.tif 000010
【図９】
2018110670.tif 000011
【図１０】
2018110670.tif 000012
【図１１】
2018110670.tif 000013
【図１２】
2018110670.tif 000014
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
針体が基端側と先端側との間で「Ｌ」字状に屈曲し、基端側針体には幅を付与する付属部材が取り付けられており、先端側針体を皮膚の上から皮膚下のＣＶポートに刺すことにより使用されるヒューバー針を、前記皮膚から引き抜くヒューバー針用抜針器であって、
台座部と、当該台座部に立設された本体部と、前記ヒューバー針を持ち上げる可動部と、を備え、
前記本体部は、
前記可動部により持ち上げられるヒューバー針を収容する収容部材と、
前記可動部を上方に案内する案内部材と、
前記台座部を手の平又は手指で下方に押すための押さえ部材と、を有し、
前記可動部は、
前記先端側針体を挟んで、前記付属部材をすくい上げて支持する支持部材と、
前記押さえ部材より低い位置にあって、前記支持部材を、指を掛けて引き上げるための指掛け部材と、を有し、
前記支持部材は、前記収容部材の内側にあり、
前記収容部材は、前記ヒューバー針が進入することを可能にする隙間を下端部に有し、
前記台座部は、前記支持部材に迎えられる前記先端側針体との干渉を回避する空隙を有するとともに、前記ヒューバー針が持ち上げられるときに、前記ＣＶポートを前記皮膚の上から押さえる底面を有し、
前記収容部材は、水平方向に分割された一方部材と他方部材とを有し、
前記台座部、前記他方部材、前記案内部材及び前記押さえ部材は、一体的に連結しており、
前記一方部材は、前記他方部材の左右端の一方に、可撓性のシート状連結部を介して一体的に連結し、前記他方部材の前記左右端の他方に、第１の戻り止め機構により止められており、
前記可動部は、全体が一体的に連結しており、かつ前記一方部材と前記他方部材の間から、前記収容部材の上方に延びており、前記案内部材及び前記可動部が有する第２の戻り止め機構により、前記案内部材に案内可能に止められている、ヒューバー針用抜針器。
【請求項２】
前記案内部材は、前記収容部材の上方に延在しており、
前記押さえ部材は、前記案内部材の頂部に設けられており、
前記指掛け部材は、前記収容部材より高い位置にある、請求項１に記載のヒューバー針用抜針器。
【請求項３】
針体が基端側と先端側との間で「Ｌ」字状に屈曲し、基端側針体には幅を付与する付属部材が取り付けられており、先端側針体を皮膚の上から皮膚下のＣＶポートに刺すことにより使用されるヒューバー針を、前記皮膚から引き抜くヒューバー針用抜針器であって、
台座部と、当該台座部に立設された本体部と、前記ヒューバー針を持ち上げる可動部と、を備え、
前記本体部は、
前記可動部により持ち上げられるヒューバー針を収容する収容部材と、
前記可動部を上方に案内する案内部材と、
前記台座部を手の平又は手指で下方に押すための押さえ部材と、を有し、
前記可動部は、
前記先端側針体を挟んで、前記付属部材をすくい上げて支持する支持部材と、
前記押さえ部材より低い位置にあって、前記支持部材を、指を掛けて引き上げるための指掛け部材と、を有し、
前記支持部材は、前記収容部材の内側にあり、
前記収容部材は、前記ヒューバー針が進入することを可能にする隙間を下端部に有し、
前記台座部は、前記支持部材に迎えられる前記先端側針体との干渉を回避する空隙を有するとともに、前記ヒューバー針が持ち上げられるときに、前記ＣＶポートを前記皮膚の上から押さえる底面を有し、
前記案内部材は、前記収容部材の上方に延在しており、
前記押さえ部材は、前記案内部材の頂部に設けられており、
前記指掛け部材は、前記収容部材より高い位置にある、ヒューバー針用抜針器。
【請求項４】
前記収容部材は、前記ヒューバー針が有する一対のウィングを折り曲げることなく収容する、請求項２又は３に記載のヒューバー針用抜針器。
【請求項５】
前記支持部材は、前記付属部材に加えて、前記付属部材の両側に延びる前記一対のウィングの各々の少なくとも一部をも載置する、請求項４に記載のヒューバー針用抜針器。
【請求項６】
前記収容部材は、
前記隙間につながる縦方向のスリットであって、前記可動部により持ち上げられる前記ヒューバー針の前記基端部針体に連結される薬液供給管への干渉を回避する縦方向のスリットを、さらに有する、請求項１から５のいずれかに記載のヒューバー針用抜針器。
【請求項７】
前記台座部のうち前記空隙が外方に開口する部分が、平面視において前記収容部材よりも外方にはみ出している、請求項１から６のいずれかに記載のヒューバー針用抜針器。
【請求項８】
前記収容部材は、少なくとも一部において、内部を視認することを可能にする透明な材料から成る、請求項１から７のいずれかに記載のヒューバー針用抜針器。
【請求項９】
前記案内部材と前記可動部とは、前記ヒューバー針が引き抜かれたときに、前記可動部が下降することを制止する第３の戻り止め機構を有する、請求項１から８のいずれかに記載のヒューバー針用抜針器。
【請求項１０】
前記台座部の前記空隙は、前記先端側針体を、前記支持部材によって挟まれる位置に案内するように、台座部の外周端部から内側に向かって幅が狭くなっている、請求項１から９のいずれかに記載のヒューバー針用抜針器。
【請求項１１】
前記台座部のうち前記空隙の上縁部は、前記先端側針体が前記支持部材へ迎えられるときに、深く刺された前記ヒューバー針の前記付属部材を押し上げることが可能なように、前記支持部材の上面と同じ高さとなるまで、前記支持部材に近いほど高くなるように傾斜した部分を含んでいる、請求項１０に記載のヒューバー針用抜針器。
【請求項１２】
前記台座部の前記空隙は、前記先端側針体が前記支持部材へ迎えられるときに、逆戻りする前記先端側針体を引掛けることにより、当該先端側針体の逆戻りを妨げる、鋸歯状の張り出し部を含む、請求項１から１１のいずれかに記載のヒューバー針用抜針器。
【請求項１３】
前記可動部は、前記支持部材の上方に設けられ、前記支持部材に支持されたヒューバー針が、引き抜かれるときに跳ね上がるのを防止する、跳ね上げ防止部材を、さらに有する、請求項１から１２のいずれかに記載のヒューバー針用抜針器。
【請求項１４】
前記可動部は、
前記支持部材により支持される前記付属部材を、前記支持部材に向かって押圧する押圧部材であって、前記付属部材が当該押圧部材と前記支持部材との間に進入することを妨げない形状である押圧部材をさらに有する、請求項１から１３のいずれかに記載のヒューバー針用抜針器。
【請求項１５】
前記案内部材と前記可動部とは、前記ヒューバー針が引き上げられる過程で、前記可動部が下降することを制止する第４の戻り止め機構を有する、請求項１から１４のいずれかに記載のヒューバー針用抜針器。
【請求項１６】
請求項１又は２に記載のヒューバー針用抜針器を製造する方法であって、
前記収容部材の前記一方部材が、前記シート状連結部を軸に前記他方部材に対して開き、かつ前記他方部材の横に並ぶ形態で、前記台座部、前記収容部材、及び前記案内部材を、前記シート状連結部とともに一体的に成型する工程と、
前記可動部を一体的に成型する工程と、
成型された前記可動部を、成型された前記案内部材に前記第２の戻り止め機構により止める工程と、
前記可動部を前記案内部材に止めた後に、前記収容部材の前記一方部材を前記他方部材に向かって閉じ、かつ前記第１の戻り止め機構により前記他方部材に止める工程と、を含む、ヒューバー針用抜針器の製造方法。